(57)【要約】データ伝送構造は、システムと視覚インタフェース表示装置を備える。システムは、ホストコンピュータと、受信ユニットと、少なくとも一つの送信モジュールとを有する。ホストコンピュータは受信ユニットと送信モジュールに接続される。視覚インタフェース表示装置は受信モジュールと表示モジュールを有し、表示モジュールは表示パネルを有する。受信モジュールが送信モジュールから伝送された送信データを受信した後、表示パネルは送信データに対応する応答データを表示パネルの少なくとも一つの電極を介して、システムにカップリングさせると同時に、この応答データは受信ユニットにより受信される。【選択図】図１
2015528142.tif 000002
【特許請求の範囲】
【請求項１】
ホストコンピュータと、受信ユニットと、少なくとも一つの送信モジュールとを有し、前記ホストコンピュータが前記受信ユニットと前記送信モジュールに接続されるシステムと、
受信モジュールと表示モジュールを有し、前記表示モジュールが表示パネルを有する視覚インタフェース表示装置とを備え、
前記受信モジュールが前記送信モジュールから伝送された送信データを受信した後、前記表示パネルは前記送信データに対応する応答データを、前記表示パネルの少なくとも一つの電極を介して、前記システムにカップリングさせると同時に、前記応答データは前記受信ユニットにより受信されることを特徴とするデータ伝送構造。
【請求項２】
前記送信モジュールは、もう一つの表示パネル、有線もしくは無線のエリアネットワークモジュール、通信ネットワークモジュール、またはブルートゥースモジュールであり、前記送信データを伝送するためのものであることを特徴とする請求項１に記載のデータ伝送構造。
【請求項３】
前記送信モジュールがもう一つの表示パネルである場合、前記送信データは前記もう一つの表示パネルの電極から前記受信モジュールにカップリングされることを特徴とする請求項１に記載のデータ伝送構造。
【請求項４】
前記システムは少なくとも一つの送信装置を更に備え、前記送信装置は前記ホストコンピュータに接続されることを特徴とする請求項１に記載のデータ伝送構造。
【請求項５】
前記送信装置は前記送信モジュールを備えることを特徴とする請求項４に記載のデータ伝送構造。
【請求項６】
前記送信装置は、身元識別モジュール、表示モジュール、画像キャプチャーモジュール、またはタッチコントロールモジュールを備えることを特徴とする請求項４に記載のデータ伝送構造。
【請求項７】
前記送信装置は前記受信ユニットを備えることを特徴とする請求項４に記載のデータ伝送構造。
【請求項８】
ユーザが前記視覚インタフェース表示装置の受信端と前記送信モジュールの送信端に接続する時、前記送信データは前記ユーザを介して、前記受信モジュールにカップリングされることを特徴とする請求項３に記載のデータ伝送構造。
【請求項９】
前記視覚インタフェース表示装置は、演算モジュールを更に有し、前記演算モジュールが前記送信データを処理した後、前記応答データを生成することを特徴とする請求項１に記載のデータ伝送構造。
【請求項１０】
前記送信データ、または前記応答データのうちの少なくとも一つは身元識別情報を含み、前記身元識別情報は、視覚インタフェース表示装置、または視覚インタフェース表示装置のユーザもしくは所有者の身元を識別するために用いられることを特徴とする請求項１に記載のデータ伝送構造。
【請求項１１】
前記身元識別情報は、個人身元データ、パスワードデータ、視覚インタフェース表示装置の識別コード、特定の問題に対する回答データ、画像データ、または個人の署名データを含むことを特徴とする請求項１０に記載のデータ伝送構造。
【請求項１２】
前記システムは前記応答データによって、前記視覚インタフェース表示装置により受信された前記送信データの内容を識別することを特徴とする請求項１に記載のデータ伝送構造。
【請求項１３】
前記視覚インタフェース表示装置は、アルゴリズムに基づいて前記送信データを処理した後、前記応答データを生成することを特徴とする請求項１に記載のデータ伝送構造。
【請求項１４】
前記システムは、前記アルゴリズムに対応するもう一つのアルゴリズムによって、受信された応答データを処理することを特徴とする請求項１３に記載のデータ伝送構造。
【請求項１５】
前記アルゴリズムに入力される情報は、前記送信データと、前記視覚インタフェース表示装置からの少なくとも一つのローカルデータとを含み、前記ローカルデータは、画像、パスワード、またはファイル含むことを特徴とする請求項１３に記載のデータ伝送構造。
【発明の詳細な説明】
【技術分野】
【０００１】
本発明は、データ伝送構造に関するものである。
【背景技術】
【０００２】
近年、消費性電子製品の応用性を拡大させるために、業界の一部では電子装置製品に近距離通信（または、近距離無線通信）機能を追加し始めている。その場合における近距離通信は、実際の回路接続をせずに、例えば、コマンド、音楽、写真、名刺、データ、またはファイルなどの情報を電子装置から他の電子装置に伝送する伝送ルートを提供することができるため、電子装置に伝送の利便性を付与するだけでなく、その応用性をも向上させることができる。例えば、アクセス制御、チケット、入場券、クレジットカード決済などのために頻繁に使用されていたＩＣカードに取って代わることができる。また、スマートフォンで売り場のスクリーンからブルートゥース通信を介してクーポンを受け取ってから、スマートフォンを介して消費者の注文情報を売り場の注文システムにフィードバックするなどの広告メッセージを受信する場合にも応用することができる。そのため、近距離通信機能を有する電子装置製品がますます人気傾向にある。
【０００３】
これらの応用面において、ユーザには、従来の遠距離通信とは異なり、近距離で、さらに言えば、ユーザの手で操作可能な範囲内でデータ伝送を行う方法が必要とされている。従って、如何にして、近距離通信に類似する機能を有し、無線伝送が行えるとともに、電子装置の応用性を拡大させることができる斬新なデータ伝送構造を提供するかが、この業界のメーカーが積極的に解決しようとしている問題である。
【発明の概要】
【発明が解決しようとする課題】
【０００４】
上記の課題に鑑みて、本発明の目的は、斬新なデータ伝送構造を提供することにある。このデータ伝送構造は、システムから伝送された送信データを受信できる以外に、表示面によって、送信データに対応する応答データをシステムにカップリングさせることで、システムと更に影響し合えるようにすることにより、無線伝送の機能が達せられるとともに、電子装置の応用性を拡大させることができるようにする。
【課題を解決するための手段】
【０００５】
上記の目的を達するために、データ伝送構造は、システムと視覚インタフェース表示装置を備える。システムは、ホストコンピュータと、受信ユニットと、少なくとも一つの送信モジュールを有する。ホストコンピュータは受信ユニットと送信モジュールに接続される。視覚インタフェース表示装置は受信モジュールと表示モジュールを有し、表示モジュールは表示パネルを有する。受信モジュールが送信モジュールから伝送された送信データを受信した後、表示パネルは送信データに対応する応答データを、表示パネルの少なくとも一つの電極を介して、システムにカップリングさせると同時に、この応答データは受信ユニットにより受信される。
【０００６】
一実施例において、送信モジュールは、もう一つの表示パネル、有線もしくは無線のエリアネットワークモジュール、通信ネットワークモジュール、またはブルートゥースモジュールであり、送信データを送信するためのものである。
【０００７】
一実施例において、送信モジュールがもう一つの表示パネルである場合、送信データはもう一つの表示パネルの電極から受信モジュールにカップリングされる。
【０００８】
一実施例において、システムは少なくとも一つの送信装置を更に備え、この送信装置はホストコンピュータに接続される。
【０００９】
一実施例において、送信装置は送信モジュールを備える。
【００１０】
一実施例において、送信装置は、身元識別モジュール、画像キャプチャーモジュール、表示モジュール、またはタッチコントロールモジュールを備える。
【００１１】
一実施例において、送信装置は受信ユニットを備える。
【００１２】
一実施例において、ユーザが視覚インタフェース表示装置の受信端と送信モジュールの送信端に接触する時、送信データはユーザを介して、受信モジュールにカップリングされる。
【００１３】
一実施例において、視覚インタフェース表示装置は、演算モジュールを更に有し、演算モジュールが送信データを処理した後、応答データを生成する。
【００１４】
一実施例において、送信データ、または応答データのうちの少なくとも一つは身元識別情報を含み、この身元識別情報は、視覚インタフェース表示装置、または視覚インタフェース表示装置のユーザもしくは所有者の身元を識別するために用いられる。
【００１５】
一実施例において、身元識別情報は、個人身元データ、パスワードデータ、視覚インタフェース表示装置の識別コード、特定の問題に対する回答データ、画像データ、または個人の署名データを含む。
【００１６】
一実施例において、システムは応答データによって、視覚インタフェース表示装置により受信された送信データの内容を識別する。
【００１７】
一実施例において、視覚インタフェース表示装置は、アルゴリズムに基づいて送信データを処理した後、応答データを生成する。
【００１８】
一実施例において、システムは、上記アルゴリズムに対応するもう一つのアルゴリズムによって、受信された応答データを処理する。
【００１９】
一実施例において、アルゴリズムに入力される情報は、送信データと、視覚インタフェース表示装置からの少なくとも一つのローカルデータとを含み、ローカルデータは、画像、パスワード、またはファイルを含む。
【発明の効果】
【００２０】
上記により、本発明のデータ伝送構造は、システムと視覚インタフェース表示装置を備える。システムは、ホストコンピュータと、受信ユニットと、少なくとも一つの送信モジュールを有し、視覚インタフェース表示装置は受信モジュールと表示モジュールを有する。受信モジュールがホストコンピュータの送信モジュールから伝送された送信データを受信した後、表示モジュールの表示パネルは送信データに対応する応答データを表示パネルの少なくとも一つの電極を介して、システムにカップリングさせると同時に、応答データは受信ユニットにより受信される。これによって、視覚インタフェース表示装置はシステムから伝送された送信データを受信できる以外に、表示パネルによって、対応する応答データをシステムにカップリングさせることで、システムと更に影響し合えるため、無線接続の伝送機能が達せられるとともに、視覚インタフェース表示装置の応用性を拡大させることができる。
【図面の簡単な説明】
【００２１】
【図１】本発明の好ましい実施例に係るデータ伝送構造の機能を示したブロック図である。
【図２】本発明の好ましいもう一つの実施例に係るデータ伝送構造の機能を示したブロック図である。
【発明を実施するための形態】
【００２２】
以下、図面を参照しながら本発明のデータ伝送構造における好適な実施例について説明する。このうち同じ構成要素は同じ符号を付して説明する。
【実施例】
【００２３】
図１を参照されたい。図１は、本発明の好ましい実施例に係るデータ伝送構造の機能を示したブロック図である。
【００２４】
本発明のデータ伝送構造は、システム２と視覚インタフェース表示装置３を備える。システム２と視覚インタフェース表示装置３はそれぞれ、演算機能、制御機能、保存機能、受信機能、または送信機能などの機能を有するサブ装置またはサブモジュールを備えることができる。ここで言うところの「装置」、または「モジュール」は、ハードウェア、ソフトウェア、またはファームウェア、またあるいはこれらの組合せから構成される。
【００２５】
システム２は、ホストコンピュータ２１と、受信ユニット２４と、少なくとも一つの送信モジュール２２とを有し、且つホストコンピュータ２１は受信ユニット２４と送信モジュール２２に接続される。ここにおいては、システム２が一つの送信モジュール２２を有する場合を例とする。このうち、システム２は電子システムであり、且つ例えば、対話型の広告システム、売り場のクーポン発注システム、アクセス識別システム、情報照会システム、現金引き出しシステム、ポータブルモバイルデバイス、またはデータ伝送に係るその他のシステムである。ホストコンピュータ２１と受信ユニット２４及び送信モジュール２２とのカップリングは、有線の物理的接続、または無線の信号接続であり、ここでは、無線の信号接続を例とする。ホストコンピュータ２１は、システム２のコア制御装置を備えると同時に、中央処理装置（central processing unit, CPU）、メモリ、または、その他のハードウェア、ソフトウェアもしくはファームウェアを含むことができる。また、ホストコンピュータ２１は、表示デバイス、送信デバイス、保存デバイス、またはその他の制御デバイスなどを含むことも可能である。また、送信モジュール２２は、例えば、表示パネル、有線もしくは無線のエリアネットワークモジュール（無線ネットワークモジュールは、例えば、WI-FI、またはWLANなどである）、有線もしくは無線の通信ネットワークモジュール、またはブルートゥースモジュールなどである。
【００２６】
また、視覚インタフェース表示装置３は、例えば、スマートフォン（smart phone）、個人用携帯情報端末（ＰＤＡ）、またはタブレット型パソコン（tablet PC）、またあるいはその他の携帯式表示装置である。視覚インタフェース表示装置３は受信モジュール３１と表示モジュール３２を有する。表示モジュール３２は表示パネル３２１を有し、且つ表示パネル３２１は少なくとも一つの電極を有する。表示パネル３２１は、アクティブマトリクス（active matrix）、またはパッシブマトリクス（passive matrix）を有する。ここでは、アクティブマトリクスを例とする。このアクティブマトリクスは、例えば、液晶表示パネル、有機発光ダイオードパネル、発光ダイオードパネル、電気泳動表示パネル、タッチコントロール表示パネル、またはMEMS表示パネルなどである。また、電極は、表示パネル３２１の表示エリア外の単独電極、または表示エリア内の複数の行電極もしくは複数の列電極のうちの一つであり、且つコンデンサカップリング、または誘導カップリングによって、信号をカップリングして送信することができる。
【００２７】
図１を再度参照されたい。システム２のホストコンピュータ２１は送信モジュール２２を介して、送信データＴＤを視覚インタフェース表示装置３に伝送する。送信データＴＤは、デジタルデータ、デジタルデータストリーム、またはデジタルファイルストリームであり、その用途に基づいて区別すると、タッチコントロール情報、指令情報、識別情報、取引情報、広告情報、クーポン情報、ファイル情報（例えば、テキストファイル、画像ファイル、音楽ファイル、またはオーディオファイルなど）、またはその他の情報である。ソースに基づいて区別すると、送信データＴＤは、システム２によって生成されるか、またはシステム２を介してその他の外部装置から取得することができる。ここでは、特に制限されない。
【００２８】
受信モジュール３１は、送信モジュール２２と対応すると同時に、プロトコル（protocol）法則を使用してデータを交換する。仮に、送信モジュール２２がエリアネットワークモジュール、通信ネットワークモジュール、またはブルートゥースモジュールである場合、視覚インタフェース表示装置３の受信モジュール３１は有線または無線の方式によって、送信モジュール２２から伝送される送信データＴＤを受信する。また、仮に、送信モジュール２２が表示パネル（図示されない）である場合、送信データＴＤはこの表示パネルを介して、視覚インタフェース表示装置３の受信モジュール３１にカップリングされる。ここにおいて、送信データＴＤは、表示パネル（送信モジュール２２）の少なくとも一つの電極から受信モジュール３１にカップリングされる。例を挙げると、受信モジュール３１を送信モジュール２２に近づかせることで、送信データＴＤをカップリングする以外に、人体を伝送媒体とすることもできる。この場合、ユーザが視覚インタフェース表示装置３の受信モジュール３１の受信端及び送信モジュール２２（表示パネル）の送信端に同時に接触した時、送信データＴＤは、送信端及び人体のコンデンサ信号を介して、受信端にカップリングされて、受信モジュール３１によって受信される。
【００２９】
受信モジュール３１が送信モジュール２２から送信された送信データＴＤを受信した後、表示パネル３２１は送信データＴＤに対応する応答データＲＤを表示パネル３２１の少なくとも一つの電極によって、システム２にカップリングさせると同時に、この応答データＲＤは受信ユニット２４によって受信される。ここにおいて、電極は、表示パネル３２１の表示エリア外の単独電極であり、または表示エリア内の複数の行電極もしくは複数の列電極のうちの少なくとも一つであり、カップリングとは、無線方式でデジタル情報（即ち、０または１）を視覚インタフェース表示装置３からシステム２に送信する方法を指している。また、応答データＲＤの伝送の正確性を確保するために、異なる時間において、同じ内容の応答データＲＤを繰り返して伝送することができる。これにより、異常を発見した時、再度同じ内容の応答データＲＤの伝送及び確認をすることによって、システム２にデータ受信の正確性を確保することができる。
【００３０】
具体的に言えば、例えば、システム２がアクセス制御システムである場合、アクセス制御に用いられる情報である送信データＴＤ（例えば、静的の従業員番号、または、従業員番号を動的にエンコードすることによって形成した身元情報、またあるいは、予め設定された質問）は、まず、システム２の送信モジュール２２を介して視覚インタフェース表示装置３（例えば、携帯電話）に伝送されることができる。ユーザがアクセス制御システムを通過する必要がある時、ユーザが持っている視覚インタフェース表示装置３（例えば、携帯電話）の表示面をシステム２に接近、または接触することによって、応答データＲＤをシステム２の受信ユニット２４に伝送する。システム２は応答データＲＤによって、ユーザのＩＤを識別して通過させるかどうかを決定する。応答データＲＤは、視覚インタフェース表示装置３によって、送信データＴＤを元に演算（例えば、暗号解読、暗号化など）することで取得される。この演算のアルゴリズムは送信データＴＤの他にも、その他のユーザの情報を追加することで、システム２に身元を確認させることができる。他の身元識別方法と比較して、本発明のデータ伝送構造の身元識別方法は以下の特徴を有している。送信データＴＤには、随時更新、またはユーザの要求に応じて送信するなどの動的メカニズムを追加することができる。システム２は、送信データＴＤの伝送から、応答データＲＤの受信までの時間差を、身元識別の有効期限とすることができる。さらに、応答データＲＤは、視覚インタフェース表示装置３がシステム２に属する受信ユニットに接近、または接触することで、データをフィードバックする必要があるため、この受信ユニットに撮影、録画、または画像識別などの機能を追加することによって、より高い安全性を確保することができる。上記と同じようなデータ伝送構造は、ショッピング、支払いなどの身元認証を厳密に制御する取引にも応用されることができる。また、本データ伝送構造は、身元認証に対する制御が比較的に厳密ではないその他の場合にも応用されることができる。例えば、システム２が会社の電子商取引システムである場合、あるストアの電子クーポンは通信ネットワークを介して、個人の携帯電話（視覚インタフェース表示装置３）に送信され、ユーザがその店で消費する時、このクーポンを携帯電話（視覚インタフェース表示装置３）を介して、システム２にフィードバックすることにより、割引を受けることができる。
【００３１】
上記では、システム２は送信データＴＤを能動的に伝送する操作モードにあるが、送信データＴＤはユーザの要求に応じて伝送されることもできる。以下、図２を参照されたい。図２は本発明のもう一つのデータ伝送構造の機能を示したブロック図である。ここにおいて、システム２ａは広告システムを例とし、視覚インタフェース表示装置３ａはスマートフォンを例として説明しているが、これに限定されない。即ち、システム２ａは、売り場販売チェックアウトシステム、アクセス識別システム、銀行の現金引き出しシステム、情報照会システム、またはその他のデータ伝送システムなどであることができるとともに、視覚インタフェース表示装置３ａは、その他の携帯型表示装置であり、例えば、タブレットＰＣ、またはノート型パソコンであることができる。
【００３２】
広告システム（システム２ａ）は、例えば、空港、または駅の近くにあるホテル、またはレストランの情報を提供することができる。この場合、広告用のパブリックディスプレイ（public display、送信装置２３）を伝送媒体として使用することができ、ユーザが検索してターゲットを見つけた場合、ユーザは、携帯電話、タブレットＰＣ、またはその他の個人用の携帯型電子装置（視覚インタフェース表示装置３）を介して、またあるいは、視覚インタフェース表示装置３の受信モジュール３１をこのパブリックディスプレイ（送信装置２３の送信モジュール２２）に接近または接触させることによって、送信データＴＤ［例えば、住所、クーポン、ＱＲコード（登録商標）（quick response code）、画像、ビデオ、アニメーション、またはテキストなど］を視覚インタフェース表示装置３にダウンロードし、持ち出すことができる。そして、目的地に着いた時に、視覚インタフェース表示装置３の表示パネル３２１の少なくとも一つの電極を介して応答データＲＤをフィードバックし、特恵を取得する。また、大型商品の販売チェックアウトシステムを例とすると、ユーザは、視覚インタフェース表示装置３の受信モジュール３１を、システム２ａの送信装置の送信モジュールに接近、または接触させて、必要な商品情報（送信データＴＤ）を受信してから、チェックアウトカウンターで注文情報（応答データＲＤ）をシステム２ａにフィードバックすることにより注文を完了する。即ち、ユーザは、視覚インタフェース表示装置３の受信モジュール３１を、システム２ａの伝送装置の送信モジュールに接近または接触させることによって、広告情報、特恵情報、または地理情報などの情報を携帯電話、タブレットＰＣ、またはその他の個人用の携帯型電子装置に送信させることができる。次に、ユーザは、再び視覚インタフェース表示装置３を介して、対応する応答データＲＤ（例えば、注文情報）をシステム２の受信ユニット２４にカップリングさせる。また、広告注文システム（システム２ａ）は、注文完了後に、消費者にこの注文取引はすでに完了したことを通知することができる。
【００３３】
本実施例において、図２に示すように、システム２ａはホストコンピュータ２１と送信モジュール２２を備えるほか、更に、少なくとも一つの送信装置２３を備えることができる。そして、この送信装置２３は送信モジュール２２を備え、ホストコンピュータ２１にカップリングされることができる。しかしながら、その他の実施例において、送信装置２３はホストコンピュータ２１内に含まれることも可能である。ここにおいて、送信装置２３は表示装置であり、且つ例えば、液晶表示装置、有機発光ダイオード表示装置、発光ダイオード表示装置、電気泳動表示装置、またはMEMS表示装置などであるが、これらに制限されない。言い換えれば、本実施例の広告システム（システム２ａ）は、送信装置２３を有し、送信装置２３は表示装置であると同時に、送信モジュール２２を備える。また、送信装置２３は身元識別モジュール（身元識別の作業を実行することができる）、表示モジュール、画像キャプチャーモジュール、またはタッチコントロールモジュール（図示されない）を含むことができる。ここにおいて、身元識別モジュール、表示モジュール、画像キャプチャーモジュール、またはタッチモジュールは、ハードウェアとは限らず、ハードウェア、ソフトウェア、またはファームウェア、またあるいはこれらの組合せから構成されても良い。
【００３４】
受信ユニット２４は、表示パネル３２１にカップリングされて応答データＲＤを受信することができると同時に、応答データＲＤをホストコンピュータ２１に伝送することができる。ここにおいて、送信装置２３は受信ユニット２４を備える。しかしながら、その他の実施例において、ホストコンピュータ２１が受信ユニット２４を備えることもできる。また、システム２ａは、ホストコンピュータ２１にカップリングされる入力装置２５を更に備えることができる。入力装置２５は、例えば、マウス、キーボード、フラッシュドライブ、またはそれらの組合せ、またあるいは、情報を入力できるその他の電子装置である。これによって、入力装置２５を使用して、商品やサービス情報をシステム２ａに入力できると同時に、送信モジュール２２を介して、商品情報を視覚インタフェース表示装置３ａに伝送することができる。
【００３５】
視覚インタフェース表示装置３ａは受信モジュール３１と表示モジュール３２を備えるほか、演算モジュール３３を更に備え、演算モジュール３３は送信データＴＤを処理した後、応答データＲＤを生成する。処理は、例えば、コード化、暗号化、暗号解読、識別情報またはその他の応答情報を追加することなどを含む。ここにおいて、演算モジュール３３は送信データＴＤを受信した後、アルゴリズムに基づいて、送信データＴＤを処理する。前記アルゴリズムに入力する情報は、送信データＴＤ及び視覚インタフェース表示装置３ａからの少なくとも一つのローカルデータを含む。ここにおいて、ローカルデータは視覚インタフェース表示装置３ａの内部情報であり、且つ例えば、識別コード、ユーザのＩＤ、またはパスワードなどのデータであり、且つ例えば、画像（例えば、ユーザの写真）、パスワード（例えば、ユーザが設定したパスワード）、またはファイル（例えば、視覚インタフェース表示装置３ａの識別コード、またはユーザのＩＤデータ）を含むと同時に、アルゴリズムを利用して、送信データＴＤとローカルデータに対して暗号化、暗号解読、またはその他の処理を行うことができる。
【００３６】
よって、演算モジュール３３は、視覚インタフェース表示装置３ａの識別情報、または視覚インタフェース表示装置３ａのユーザもしくは所有者の身元を応答データＲＤ内に追加することで、送信データＴＤ、または応答データＲＤのうちの少なくとも一つに身元識別情報を含ませることができ、この身元識別情報は、視覚インタフェース表示装置３ａ、または視覚インタフェース表示装置３ａのユーザもしくは所有者の身元を識別するために用いられる。ここにおいて、身元識別情報は例えば、個人身元データ、パスワードデータ、視覚インタフェース表示装置３ａの識別コード、特定の問題に対する回答データ、画像データ、または個人の署名データ、またあるいはその他の情報を含む。演算モジュール３３は応答データＲＤを表示モジュール３２に伝送し、表示パネル３２１の電極を介して、応答データＲＤをシステム２ａにカップリングさせる。
【００３７】
システム２ａが受信ユニット２４を介して、応答データＲＤを受信した後、システム２ａは応答データＲＤによって、視覚インタフェース表示装置３ａが受信した送信データＴＤの内容を識別することができる。ここにおいて、受信ユニット２４が応答データＲＤを受信した後、ホストコンピュータ２１は、視覚インタフェース表示装置３ａの演算モジュール３３のアルゴリズムに対応するもう一つのアルゴリズムを使用して受信した応答データＲＤを処理できると同時に、送信装置２３内に含まれる身元識別モジュールを使用して、身元の識別を行うことができる。これによって、消費者がどの商品またはサービスを注文したのか、注文の情報がどのメーカ及びシリアル番号の視覚インタフェース表示装置３ａから送信されたのか、更には、どの消費者が注文した商品またはサービスであるのかを、システム２ａに識別させることができる。そして、システム２ａは、商品またはサービスの注文を確認した後に、この確認情報を消費者に伝送する。
【００３８】
上記をまとめると、本発明のデータ伝送構造は、システムと視覚インタフェース表示装置を備える。システムは、ホストコンピュータと、受信ユニットと、少なくとも一つの送信モジュールを有し、視覚インタフェース表示装置は受信モジュールと表示モジュールを有する。受信モジュールがホストコンピュータの送信モジュールから伝送された送信データを受信した後、表示モジュールの表示パネルは送信データに対応する応答データを、表示パネルの少なくとも一つの電極を介して、システムにカップリングさせると同時に、この応答データは受信ユニットにより受信される。これによって、視覚インタフェース表示装置は、システムから伝送された送信データを受信できる以外に、表示パネルによって、対応する応答データをシステムにカップリングさせることで、システムと更に影響し合えるため、無線接続の伝送機能が達せられるとともに、視覚インタフェース表示装置の応用性を拡大させることができる。
【００３９】
上記実施例は例示的なものであって、限定するためのものではない。本発明の技術的思想および範囲から逸脱することなく行われる等価の修正または変更は、いずれも別紙の特許請求の範囲に含まれる。
【符号の説明】
【００４０】
２、２ａ  システム
２１  ホストコンピュータ
２２  送信モジュール
２３  送信装置
２４  受信ユニット
２５  入力装置
３、３ａ  視覚インタフェース表示装置
３１  受信モジュール
３２  表示モジュール
３２１  表示パネル
３３  演算モジュール
ＲＤ  応答データ
ＴＤ  送信データ
【図１】
2015528142.tif 000003
【図２】
2015528142.tif 000004
【手続補正書】
【提出日】平成26年11月25日(2014.11.25)
【手続補正１】
【補正対象書類名】明細書
【補正対象項目名】全文
【補正方法】変更
【補正の内容】
【発明の詳細な説明】
【技術分野】
【０００１】
本発明は、データ伝送構造に関するものである。
【背景技術】
【０００２】
近年、消費性電子製品の応用性を拡大させるために、業界の一部では電子装置製品に近距離通信（または、近距離無線通信）機能を追加し始めている。その場合における近距離通信は、実際の回路接続をせずに、例えば、コマンド、音楽、写真、名刺、データ、またはファイルなどの情報を電子装置から他の電子装置に伝送する伝送ルートを提供することができるため、電子装置に伝送の利便性を付与するだけでなく、その応用性をも向上させることができる。例えば、アクセス制御、チケット、入場券、クレジットカード決済などのために頻繁に使用されていたＩＣカードに取って代わることができる。また、スマートフォンで売り場のスクリーンからブルートゥース通信を介してクーポンを受け取ってから、スマートフォンを介して消費者の注文情報を売り場の注文システムにフィードバックするなどの広告メッセージを受信する場合にも応用することができる。そのため、近距離通信機能を有する電子装置製品がますます人気傾向にある。
【０００３】
これらの応用面において、ユーザには、従来の遠距離通信とは異なり、近距離で、さらに言えば、ユーザの手で操作可能な範囲内でデータ伝送を行う方法が必要とされている。従って、如何にして、近距離通信に類似する機能を有し、無線伝送が行えるとともに、電子装置の応用性を拡大させることができる斬新なデータ伝送構造を提供するかが、この業界のメーカーが積極的に解決しようとしている問題である。
【発明の概要】
【発明が解決しようとする課題】
【０００４】
上記の課題に鑑みて、本発明の目的は、斬新なデータ伝送構造を提供することにある。このデータ伝送構造は、システムから伝送された送信データを受信できる以外に、表示面によって、送信データに対応する応答データをシステムにカップリングさせることで、システムと更に影響し合えるようにすることにより、無線伝送の機能が達せられるとともに、電子装置の応用性を拡大させることができるようにする。
【課題を解決するための手段】
【０００５】
上記の目的を達するために、データ伝送構造は、システムと視覚インタフェース表示装置を備える。システムは、ホストコンピュータと、受信ユニットと、少なくとも一つの送信モジュールを有する。ホストコンピュータは受信ユニットと送信モジュールに接続される。視覚インタフェース表示装置は受信モジュールと表示モジュールを有し、表示モジュールは表示パネルを有する。受信モジュールが送信モジュールから伝送された送信データを受信した後、表示パネルは送信データに対応する応答データを、表示パネルの少なくとも一つの電極を介して、システムにカップリングさせると同時に、この応答データは受信ユニットにより受信される。
【０００６】
一実施例において、送信モジュールは、もう一つの表示パネル、有線もしくは無線のエリアネットワークモジュール、通信ネットワークモジュール、またはブルートゥースモジュールであり、送信データを送信するためのものであり、前記送信モジュールがもう一つの表示パネルである場合、前記送信データは前記もう一つの表示パネルの電極から前記受信モジュールにカップリングされ、ユーザが前記視覚インタフェース表示装置の受信端と前記送信モジュールの送信端に接続する時、前記送信データは前記ユーザを介して、前記受信モジュールにカップリングされる。
【０００７】
一実施例において、システムは少なくとも一つの送信装置を更に備え、この送信装置はホストコンピュータに接続される。
【０００８】
一実施例において、送信装置は送信モジュールを備える。
【０００９】
一実施例において、送信装置は、身元識別モジュール、画像キャプチャーモジュール、表示モジュール、またはタッチコントロールモジュールを備える。
【００１０】
一実施例において、送信装置は受信ユニットを備える。
【００１１】
一実施例において、視覚インタフェース表示装置は、演算モジュールを更に有し、演算モジュールが送信データを処理した後、応答データを生成する。
【００１２】
一実施例において、送信データ、または応答データのうちの少なくとも一つは身元識別情報を含み、この身元識別情報は、視覚インタフェース表示装置、または視覚インタフェース表示装置のユーザもしくは所有者の身元を識別するために用いられる。
【００１３】
一実施例において、身元識別情報は、個人身元データ、パスワードデータ、視覚インタフェース表示装置の識別コード、特定の問題に対する回答データ、画像データ、または個人の署名データを含む。
【００１４】
一実施例において、システムは応答データによって、視覚インタフェース表示装置により受信された送信データの内容を識別する。
【００１５】
一実施例において、視覚インタフェース表示装置は、アルゴリズムに基づいて送信データを処理した後、応答データを生成する。
【００１６】
一実施例において、システムは、上記アルゴリズムに対応するもう一つのアルゴリズムによって、受信された応答データを処理する。
【００１７】
一実施例において、アルゴリズムに入力される情報は、送信データと、視覚インタフェース表示装置からの少なくとも一つのローカルデータとを含み、ローカルデータは、画像、パスワード、またはファイルを含む。
【発明の効果】
【００１８】
上記により、本発明のデータ伝送構造は、システムと視覚インタフェース表示装置を備える。システムは、ホストコンピュータと、受信ユニットと、少なくとも一つの送信モジュールを有し、視覚インタフェース表示装置は受信モジュールと表示モジュールを有する。受信モジュールがホストコンピュータの送信モジュールから伝送された送信データを受信した後、表示モジュールの表示パネルは送信データに対応する応答データを表示パネルの少なくとも一つの電極を介して、システムにカップリングさせると同時に、応答データは受信ユニットにより受信される。これによって、視覚インタフェース表示装置はシステムから伝送された送信データを受信できる以外に、表示パネルによって、対応する応答データをシステムにカップリングさせることで、システムと更に影響し合えるため、無線接続の伝送機能が達せられるとともに、視覚インタフェース表示装置の応用性を拡大させることができる。
【図面の簡単な説明】
【００１９】
【図１】本発明の好ましい実施例に係るデータ伝送構造の機能を示したブロック図である。
【図２】本発明の好ましいもう一つの実施例に係るデータ伝送構造の機能を示したブロック図である。
【発明を実施するための形態】
【００２０】
以下、図面を参照しながら本発明のデータ伝送構造における好適な実施例について説明する。このうち同じ構成要素は同じ符号を付して説明する。
【実施例】
【００２１】
図１を参照されたい。図１は、本発明の好ましい実施例に係るデータ伝送構造の機能を示したブロック図である。
【００２２】
本発明のデータ伝送構造は、システム２と視覚インタフェース表示装置３を備える。システム２と視覚インタフェース表示装置３はそれぞれ、演算機能、制御機能、保存機能、受信機能、または送信機能などの機能を有するサブ装置またはサブモジュールを備えることができる。ここで言うところの「装置」、または「モジュール」は、ハードウェア、ソフトウェア、またはファームウェア、またあるいはこれらの組合せから構成される。
【００２３】
システム２は、ホストコンピュータ２１と、受信ユニット２４と、少なくとも一つの送信モジュール２２とを有し、且つホストコンピュータ２１は受信ユニット２４と送信モジュール２２に接続される。ここにおいては、システム２が一つの送信モジュール２２を有する場合を例とする。このうち、システム２は電子システムであり、且つ例えば、対話型の広告システム、売り場のクーポン発注システム、アクセス識別システム、情報照会システム、現金引き出しシステム、ポータブルモバイルデバイス、またはデータ伝送に係るその他のシステムである。ホストコンピュータ２１と受信ユニット２４及び送信モジュール２２とのカップリングは、有線の物理的接続、または無線の信号接続であり、ここでは、無線の信号接続を例とする。ホストコンピュータ２１は、システム２のコア制御装置を備えると同時に、中央処理装置（central processing unit, CPU）、メモリ、または、その他のハードウェア、ソフトウェアもしくはファームウェアを含むことができる。また、ホストコンピュータ２１は、表示デバイス、送信デバイス、保存デバイス、またはその他の制御デバイスなどを含むことも可能である。また、送信モジュール２２は、例えば、表示パネル、有線もしくは無線のエリアネットワークモジュール（無線ネットワークモジュールは、例えば、WI-FI、またはWLANなどである）、有線もしくは無線の通信ネットワークモジュール、またはブルートゥースモジュールなどである。
【００２４】
また、視覚インタフェース表示装置３は、例えば、スマートフォン（smart phone）、個人用携帯情報端末（ＰＤＡ）、またはタブレット型パソコン（tablet PC）、またあるいはその他の携帯式表示装置である。視覚インタフェース表示装置３は受信モジュール３１と表示モジュール３２を有する。表示モジュール３２は表示パネル３２１を有し、且つ表示パネル３２１は少なくとも一つの電極を有する。表示パネル３２１は、アクティブマトリクス（active matrix）、またはパッシブマトリクス（passive matrix）を有する。ここでは、アクティブマトリクスを例とする。このアクティブマトリクスは、例えば、液晶表示パネル、有機発光ダイオードパネル、発光ダイオードパネル、電気泳動表示パネル、タッチコントロール表示パネル、またはMEMS表示パネルなどである。また、電極は、表示パネル３２１の表示エリア外の単独電極、または表示エリア内の複数の行電極もしくは複数の列電極のうちの一つであり、且つコンデンサカップリング、または誘導カップリングによって、信号をカップリングして送信することができる。
【００２５】
図１を再度参照されたい。システム２のホストコンピュータ２１は送信モジュール２２を介して、送信データＴＤを視覚インタフェース表示装置３に伝送する。送信データＴＤは、デジタルデータ、デジタルデータストリーム、またはデジタルファイルストリームであり、その用途に基づいて区別すると、タッチコントロール情報、指令情報、識別情報、取引情報、広告情報、クーポン情報、ファイル情報（例えば、テキストファイル、画像ファイル、音楽ファイル、またはオーディオファイルなど）、またはその他の情報である。ソースに基づいて区別すると、送信データＴＤは、システム２によって生成されるか、またはシステム２を介してその他の外部装置から取得することができる。ここでは、特に制限されない。
【００２６】
受信モジュール３１は、送信モジュール２２と対応すると同時に、プロトコル（protocol）法則を使用してデータを交換する。仮に、送信モジュール２２がエリアネットワークモジュール、通信ネットワークモジュール、またはブルートゥースモジュールである場合、視覚インタフェース表示装置３の受信モジュール３１は有線または無線の方式によって、送信モジュール２２から伝送される送信データＴＤを受信する。また、仮に、送信モジュール２２が表示パネル（図示されない）である場合、送信データＴＤはこの表示パネルを介して、視覚インタフェース表示装置３の受信モジュール３１にカップリングされる。ここにおいて、送信データＴＤは、表示パネル（送信モジュール２２）の少なくとも一つの電極から受信モジュール３１にカップリングされる。例を挙げると、受信モジュール３１を送信モジュール２２に近づかせることで、送信データＴＤをカップリングする以外に、人体を伝送媒体とすることもできる。この場合、ユーザが視覚インタフェース表示装置３の受信モジュール３１の受信端及び送信モジュール２２（表示パネル）の送信端に同時に接触した時、送信データＴＤは、送信端及び人体のコンデンサ信号を介して、受信端にカップリングされて、受信モジュール３１によって受信される。
【００２７】
受信モジュール３１が送信モジュール２２から送信された送信データＴＤを受信した後、表示パネル３２１は送信データＴＤに対応する応答データＲＤを表示パネル３２１の少なくとも一つの電極によって、システム２にカップリングさせると同時に、この応答データＲＤは受信ユニット２４によって受信される。ここにおいて、電極は、表示パネル３２１の表示エリア外の単独電極であり、または表示エリア内の複数の行電極もしくは複数の列電極のうちの少なくとも一つであり、カップリングとは、無線方式でデジタル情報（即ち、０または１）を視覚インタフェース表示装置３からシステム２に送信する方法を指している。また、応答データＲＤの伝送の正確性を確保するために、異なる時間において、同じ内容の応答データＲＤを繰り返して伝送することができる。これにより、異常を発見した時、再度同じ内容の応答データＲＤの伝送及び確認をすることによって、システム２にデータ受信の正確性を確保することができる。
【００２８】
具体的に言えば、例えば、システム２がアクセス制御システムである場合、アクセス制御に用いられる情報である送信データＴＤ（例えば、静的の従業員番号、または、従業員番号を動的にエンコードすることによって形成した身元情報、またあるいは、予め設定された質問）は、まず、システム２の送信モジュール２２を介して視覚インタフェース表示装置３（例えば、携帯電話）に伝送されることができる。ユーザがアクセス制御システムを通過する必要がある時、ユーザが持っている視覚インタフェース表示装置３（例えば、携帯電話）の表示面をシステム２に接近、または接触することによって、応答データＲＤをシステム２の受信ユニット２４に伝送する。システム２は応答データＲＤによって、ユーザのＩＤを識別して通過させるかどうかを決定する。応答データＲＤは、視覚インタフェース表示装置３によって、送信データＴＤを元に演算（例えば、暗号解読、暗号化など）することで取得される。この演算のアルゴリズムは送信データＴＤの他にも、その他のユーザの情報を追加することで、システム２に身元を確認させることができる。他の身元識別方法と比較して、本発明のデータ伝送構造の身元識別方法は以下の特徴を有している。送信データＴＤには、随時更新、またはユーザの要求に応じて送信するなどの動的メカニズムを追加することができる。システム２は、送信データＴＤの伝送から、応答データＲＤの受信までの時間差を、身元識別の有効期限とすることができる。さらに、応答データＲＤは、視覚インタフェース表示装置３がシステム２に属する受信ユニットに接近、または接触することで、データをフィードバックする必要があるため、この受信ユニットに撮影、録画、または画像識別などの機能を追加することによって、より高い安全性を確保することができる。上記と同じようなデータ伝送構造は、ショッピング、支払いなどの身元認証を厳密に制御する取引にも応用されることができる。また、本データ伝送構造は、身元認証に対する制御が比較的に厳密ではないその他の場合にも応用されることができる。例えば、システム２が会社の電子商取引システムである場合、あるストアの電子クーポンは通信ネットワークを介して、個人の携帯電話（視覚インタフェース表示装置３）に送信され、ユーザがその店で消費する時、このクーポンを携帯電話（視覚インタフェース表示装置３）を介して、システム２にフィードバックすることにより、割引を受けることができる。
【００２９】
上記では、システム２は送信データＴＤを能動的に伝送する操作モードにあるが、送信データＴＤはユーザの要求に応じて伝送されることもできる。以下、図２を参照されたい。図２は本発明のもう一つのデータ伝送構造の機能を示したブロック図である。ここにおいて、システム２ａは広告システムを例とし、視覚インタフェース表示装置３ａはスマートフォンを例として説明しているが、これに限定されない。即ち、システム２ａは、売り場販売チェックアウトシステム、アクセス識別システム、銀行の現金引き出しシステム、情報照会システム、またはその他のデータ伝送システムなどであることができるとともに、視覚インタフェース表示装置３ａは、その他の携帯型表示装置であり、例えば、タブレットＰＣ、またはノート型パソコンであることができる。
【００３０】
広告システム（システム２ａ）は、例えば、空港、または駅の近くにあるホテル、またはレストランの情報を提供することができる。この場合、広告用のパブリックディスプレイ（public display、送信装置２３）を伝送媒体として使用することができ、ユーザが検索してターゲットを見つけた場合、ユーザは、携帯電話、タブレットＰＣ、またはその他の個人用の携帯型電子装置（視覚インタフェース表示装置３）を介して、またあるいは、視覚インタフェース表示装置３の受信モジュール３１をこのパブリックディスプレイ（送信装置２３の送信モジュール２２）に接近または接触させることによって、送信データＴＤ［例えば、住所、クーポン、ＱＲコード（登録商標）（quick response code）、画像、ビデオ、アニメーション、またはテキストなど］を視覚インタフェース表示装置３にダウンロードし、持ち出すことができる。そして、目的地に着いた時に、視覚インタフェース表示装置３の表示パネル３２１の少なくとも一つの電極を介して応答データＲＤをフィードバックし、特恵を取得する。また、大型商品の販売チェックアウトシステムを例とすると、ユーザは、視覚インタフェース表示装置３の受信モジュール３１を、システム２ａの送信装置の送信モジュールに接近、または接触させて、必要な商品情報（送信データＴＤ）を受信してから、チェックアウトカウンターで注文情報（応答データＲＤ）をシステム２ａにフィードバックすることにより注文を完了する。即ち、ユーザは、視覚インタフェース表示装置３の受信モジュール３１を、システム２ａの伝送装置の送信モジュールに接近または接触させることによって、広告情報、特恵情報、または地理情報などの情報を携帯電話、タブレットＰＣ、またはその他の個人用の携帯型電子装置に送信させることができる。次に、ユーザは、再び視覚インタフェース表示装置３を介して、対応する応答データＲＤ（例えば、注文情報）をシステム２の受信ユニット２４にカップリングさせる。また、広告注文システム（システム２ａ）は、注文完了後に、消費者にこの注文取引はすでに完了したことを通知することができる。
【００３１】
本実施例において、図２に示すように、システム２ａはホストコンピュータ２１と送信モジュール２２を備えるほか、更に、少なくとも一つの送信装置２３を備えることができる。そして、この送信装置２３は送信モジュール２２を備え、ホストコンピュータ２１にカップリングされることができる。しかしながら、その他の実施例において、送信装置２３はホストコンピュータ２１内に含まれることも可能である。ここにおいて、送信装置２３は表示装置であり、且つ例えば、液晶表示装置、有機発光ダイオード表示装置、発光ダイオード表示装置、電気泳動表示装置、またはMEMS表示装置などであるが、これらに制限されない。言い換えれば、本実施例の広告システム（システム２ａ）は、送信装置２３を有し、送信装置２３は表示装置であると同時に、送信モジュール２２を備える。また、送信装置２３は身元識別モジュール（身元識別の作業を実行することができる）、表示モジュール、画像キャプチャーモジュール、またはタッチコントロールモジュール（図示されない）を含むことができる。ここにおいて、身元識別モジュール、表示モジュール、画像キャプチャーモジュール、またはタッチモジュールは、ハードウェアとは限らず、ハードウェア、ソフトウェア、またはファームウェア、またあるいはこれらの組合せから構成されても良い。
【００３２】
受信ユニット２４は、表示パネル３２１にカップリングされて応答データＲＤを受信することができると同時に、応答データＲＤをホストコンピュータ２１に伝送することができる。ここにおいて、送信装置２３は受信ユニット２４を備える。しかしながら、その他の実施例において、ホストコンピュータ２１が受信ユニット２４を備えることもできる。また、システム２ａは、ホストコンピュータ２１にカップリングされる入力装置２５を更に備えることができる。入力装置２５は、例えば、マウス、キーボード、フラッシュドライブ、またはそれらの組合せ、またあるいは、情報を入力できるその他の電子装置である。これによって、入力装置２５を使用して、商品やサービス情報をシステム２ａに入力できると同時に、送信モジュール２２を介して、商品情報を視覚インタフェース表示装置３ａに伝送することができる。
【００３３】
視覚インタフェース表示装置３ａは受信モジュール３１と表示モジュール３２を備えるほか、演算モジュール３３を更に備え、演算モジュール３３は送信データＴＤを処理した後、応答データＲＤを生成する。処理は、例えば、コード化、暗号化、暗号解読、識別情報またはその他の応答情報を追加することなどを含む。ここにおいて、演算モジュール３３は送信データＴＤを受信した後、アルゴリズムに基づいて、送信データＴＤを処理する。前記アルゴリズムに入力する情報は、送信データＴＤ及び視覚インタフェース表示装置３ａからの少なくとも一つのローカルデータを含む。ここにおいて、ローカルデータは視覚インタフェース表示装置３ａの内部情報であり、且つ例えば、識別コード、ユーザのＩＤ、またはパスワードなどのデータであり、且つ例えば、画像（例えば、ユーザの写真）、パスワード（例えば、ユーザが設定したパスワード）、またはファイル（例えば、視覚インタフェース表示装置３ａの識別コード、またはユーザのＩＤデータ）を含むと同時に、アルゴリズムを利用して、送信データＴＤとローカルデータに対して暗号化、暗号解読、またはその他の処理を行うことができる。
【００３４】
よって、演算モジュール３３は、視覚インタフェース表示装置３ａの識別情報、または視覚インタフェース表示装置３ａのユーザもしくは所有者の身元を応答データＲＤ内に追加することで、送信データＴＤ、または応答データＲＤのうちの少なくとも一つに身元識別情報を含ませることができ、この身元識別情報は、視覚インタフェース表示装置３ａ、または視覚インタフェース表示装置３ａのユーザもしくは所有者の身元を識別するために用いられる。ここにおいて、身元識別情報は例えば、個人身元データ、パスワードデータ、視覚インタフェース表示装置３ａの識別コード、特定の問題に対する回答データ、画像データ、または個人の署名データ、またあるいはその他の情報を含む。演算モジュール３３は応答データＲＤを表示モジュール３２に伝送し、表示パネル３２１の電極を介して、応答データＲＤをシステム２ａにカップリングさせる。
【００３５】
システム２ａが受信ユニット２４を介して、応答データＲＤを受信した後、システム２ａは応答データＲＤによって、視覚インタフェース表示装置３ａが受信した送信データＴＤの内容を識別することができる。ここにおいて、受信ユニット２４が応答データＲＤを受信した後、ホストコンピュータ２１は、視覚インタフェース表示装置３ａの演算モジュール３３のアルゴリズムに対応するもう一つのアルゴリズムを使用して受信した応答データＲＤを処理できると同時に、送信装置２３内に含まれる身元識別モジュールを使用して、身元の識別を行うことができる。これによって、消費者がどの商品またはサービスを注文したのか、注文の情報がどのメーカ及びシリアル番号の視覚インタフェース表示装置３ａから送信されたのか、更には、どの消費者が注文した商品またはサービスであるのかを、システム２ａに識別させることができる。そして、システム２ａは、商品またはサービスの注文を確認した後に、この確認情報を消費者に伝送する。
【００３６】
上記をまとめると、本発明のデータ伝送構造は、システムと視覚インタフェース表示装置を備える。システムは、ホストコンピュータと、受信ユニットと、少なくとも一つの送信モジュールを有し、視覚インタフェース表示装置は受信モジュールと表示モジュールを有する。受信モジュールがホストコンピュータの送信モジュールから伝送された送信データを受信した後、表示モジュールの表示パネルは送信データに対応する応答データを、表示パネルの少なくとも一つの電極を介して、システムにカップリングさせると同時に、この応答データは受信ユニットにより受信される。これによって、視覚インタフェース表示装置は、システムから伝送された送信データを受信できる以外に、表示パネルによって、対応する応答データをシステムにカップリングさせることで、システムと更に影響し合えるため、無線接続の伝送機能が達せられるとともに、視覚インタフェース表示装置の応用性を拡大させることができる。
【００３７】
上記実施例は例示的なものであって、限定するためのものではない。本発明の技術的思想および範囲から逸脱することなく行われる等価の修正または変更は、いずれも別紙の特許請求の範囲に含まれる。
【符号の説明】
【００３８】
２、２ａ  システム
２１  ホストコンピュータ
２２  送信モジュール
２３  送信装置
２４  受信ユニット
２５  入力装置
３、３ａ  視覚インタフェース表示装置
３１  受信モジュール
３２  表示モジュール
３２１  表示パネル
３３  演算モジュール
ＲＤ  応答データ
ＴＤ  送信データ
【手続補正２】
【補正対象書類名】特許請求の範囲
【補正対象項目名】全文
【補正方法】変更
【補正の内容】
【特許請求の範囲】
【請求項１】
ホストコンピュータと、受信ユニットと、少なくとも一つの送信モジュールとを有し、前記ホストコンピュータが前記受信ユニットと前記送信モジュールに接続されるシステムと、
受信モジュールと表示モジュールを有し、前記表示モジュールが表示パネルを有する視覚インタフェース表示装置とを備え、
前記受信モジュールが前記送信モジュールから伝送された送信データを受信した後、前記表示パネルは前記送信データに対応する応答データを、前記表示パネルの少なくとも一つの電極を介して、前記システムにカップリングさせると同時に、前記応答データは前記受信ユニットにより受信されることを特徴とするデータ伝送構造。
【請求項２】
前記送信モジュールは、もう一つの表示パネル、有線もしくは無線のエリアネットワークモジュール、通信ネットワークモジュール、またはブルートゥースモジュールであり、前記送信データを伝送するためのものであり、
前記送信モジュールがもう一つの表示パネルである場合、前記送信データは前記もう一つの表示パネルの電極から前記受信モジュールにカップリングされ、
ユーザが前記視覚インタフェース表示装置の受信端と前記送信モジュールの送信端に接続する時、前記送信データは前記ユーザを介して、前記受信モジュールにカップリングされることを特徴とする請求項１に記載のデータ伝送構造。
【請求項３】
前記システムは少なくとも一つの送信装置を更に備え、前記送信装置は前記ホストコンピュータに接続されることを特徴とする請求項１に記載のデータ伝送構造。
【請求項４】
前記送信装置は前記送信モジュールを備えることを特徴とする請求項３に記載のデータ伝送構造。
【請求項５】
前記送信装置は、身元識別モジュール、表示モジュール、画像キャプチャーモジュール、またはタッチコントロールモジュールを備えることを特徴とする請求項３に記載のデータ伝送構造。
【請求項６】
前記送信装置は前記受信ユニットを備えることを特徴とする請求項３に記載のデータ伝送構造。
【請求項７】
前記視覚インタフェース表示装置は、演算モジュールを更に有し、前記演算モジュールが前記送信データを処理した後、前記応答データを生成することを特徴とする請求項１に記載のデータ伝送構造。
【請求項８】
前記送信データ、または前記応答データのうちの少なくとも一つは身元識別情報を含み、前記身元識別情報は、視覚インタフェース表示装置、または視覚インタフェース表示装置のユーザもしくは所有者の身元を識別するために用いられることを特徴とする請求項１に記載のデータ伝送構造。
【請求項９】
前記身元識別情報は、個人身元データ、パスワードデータ、視覚インタフェース表示装置の識別コード、特定の問題に対する回答データ、画像データ、または個人の署名データを含むことを特徴とする請求項８に記載のデータ伝送構造。
【請求項１０】
前記システムは前記応答データによって、前記視覚インタフェース表示装置により受信された前記送信データの内容を識別することを特徴とする請求項１に記載のデータ伝送構造。
【請求項１１】
前記視覚インタフェース表示装置は、アルゴリズムに基づいて前記送信データを処理した後、前記応答データを生成することを特徴とする請求項１に記載のデータ伝送構造。
【請求項１２】
前記システムは、前記アルゴリズムに対応するもう一つのアルゴリズムによって、受信された応答データを処理することを特徴とする請求項１１に記載のデータ伝送構造。
【請求項１３】
前記アルゴリズムに入力される情報は、前記送信データと、前記視覚インタフェース表示装置からの少なくとも一つのローカルデータとを含み、前記ローカルデータは、画像、パスワード、またはファイル含むことを特徴とする請求項１１に記載のデータ伝送構造。
【国際調査報告】
2015528142.tif 000005
2015528142.tif 000006
2015528142.tif 000007
2015528142.tif 000008